Podtech/llm-jp-corpus-v4-ja_patent huggingface dataset:
【手続補正書】
【提出日】平成21年7月27日(2009.7.27)
【手続補正１】
【補正対象書類名】特許請求の範囲
【補正対象項目名】全文
【補正方法】変更
【補正の内容】
【特許請求の範囲】
【請求項１】
所定の遊技を行った結果として遊技者に遊技結果価値を付与可能な遊技機であって、
電力が供給される状態になったときに、電力供給停止直前の内容を保持することが可能な記憶手段に保持されている記憶内容にもとづいて遊技状態を復帰させる遊技状態復帰制御を行うことが可能であり、
遊技の進行を制御する遊技制御手段と、
所定電位電源の電圧低下を検出するための電源監視手段とを備え、
前記遊技制御手段は、遊技制御マイクロコンピュータを含み、
前記電源監視手段からの検出出力は、前記遊技制御マイクロコンピュータの割込端子に入力され、
前記遊技制御マイクロコンピュータは、
前記電源監視手段からの検出出力に応じた割込にもとづいて所定の電源断時処理を実行し、該電源断時処理を実行した後でも割込が発生すれば割込処理を起動可能であり、
前記電源断時処理を実行した後に割込が再度発生して前記割込処理が起動した場合であっても電源断時処理を実行せず、
前記電源断時処理において、バックアップフラグを前記記憶手段に設定するバックアップフラグ設定処理と、前記記憶手段の記憶内容が正常か否かの判定に用いるチェックデータの作成処理とを実行し、
電力供給が開始されたときに、前記記憶手段に前記バックアップフラグが設定されているか否か判定し、前記バックアップフラグが設定されていないときには前記記憶手段の記憶内容を初期化する初期化処理を実行し、前記記憶手段にバックアップフラグが設定されているときには前記チェックデータにもとづいて前記記憶手段の記憶内容が正常か否かの判定を行い、該判定により前記記憶手段の記憶内容が正常であることを確認したときに該記憶内容にもとづいて前記遊技状態復帰制御を実行する
ことを特徴とする遊技機。
【手続補正２】
【補正対象書類名】明細書
【補正対象項目名】０００６
【補正方法】変更
【補正の内容】
【０００６】
遊技機には、電力供給が停止するときに制御状態を保存するための処理を実行し、電力供給が開始されたときに状態復旧処理を実行するものがある。
【手続補正３】
【補正対象書類名】明細書
【補正対象項目名】０００７
【補正方法】変更
【補正の内容】
【０００７】
本発明は、電力供給が停止するときに制御状態を保存するための処理を実行する場合に、制御状態を保存するための処理が重複して実行されることを防止できる遊技機を提供することを目的とする。
【手続補正４】
【補正対象書類名】明細書
【補正対象項目名】０００８
【補正方法】変更
【補正の内容】
【０００８】
本発明による遊技機は、所定の遊技を行った結果として遊技者に遊技結果価値を付与可能な遊技機であって、電力が供給される状態になったときに、電力供給停止直前の内容を保持することが可能な記憶手段に保持されている記憶内容にもとづいて遊技状態を復帰させる遊技状態復帰制御を行うことが可能であり、遊技の進行を制御する遊技制御手段と、所定電位電源の電圧低下を検出するための電源監視手段とを備え、遊技制御手段は、遊技制御マイクロコンピュータを含み、電源監視手段からの検出出力は、遊技制御マイクロコンピュータの割込端子に入力され、遊技制御マイクロコンピュータは、電源監視手段からの検出出力に応じた割込にもとづいて所定の電源断時処理を実行し、該電源断時処理を実行した後でも割込が発生すれば割込処理を起動可能であり、電源断時処理を実行した後に割込が再度発生して割込処理が起動した場合であっても電源断時処理を実行せず、電源断時処理において、バックアップフラグを記憶手段に設定するバックアップフラグ設定処理と、記憶手段の記憶内容が正常か否かの判定に用いるチェックデータの作成処理とを実行し、電力供給が開始されたときに、記憶手段にバックアップフラグが設定されているか否か判定し、バックアップフラグが設定されていないときには記憶手段の記憶内容を初期化する初期化処理を実行し、記憶手段にバックアップフラグが設定されているときにはチェックデータにもとづいて記憶手段の記憶内容が正常か否かの判定を行い、該判定により記憶手段の記憶内容が正常であることを確認したときに該記憶内容にもとづいて遊技状態復帰制御を実行することを特徴とする遊技機。
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】変更
【補正の内容】
【００１６】
本発明によれば、遊技機を、遊技制御マイクロコンピュータが、電源監視手段からの検出出力に応じた割込にもとづいて所定の電源断時処理を実行し、該電源断時処理を実行した後でも割込が発生すれば割込処理を起動可能であり、電源断時処理を実行した後に割込が再度発生して割込処理が起動した場合であっても電源断時処理を実行しないように構成したので、電力供給が停止するときに制御状態を保存するための処理を実行する場合に、制御状態を保存するための処理が重複して実行されることを防止できる効果がある。
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正書】
【提出日】平成21年7月27日(2009.7.27)
【手続補正１】
【補正対象書類名】特許請求の範囲
【補正対象項目名】全文
【補正方法】変更
【補正の内容】
【特許請求の範囲】
【請求項１】
遊技者が遊技媒体を用いて所定の遊技を行うことが可能な遊技機であって、
遊技媒体を検出するための遊技媒体検出手段と、
制御を行う際に発生する変動データを記憶する変動データ記憶手段を含む電気部品制御手段と、
遊技機への電力供給が停止していても前記変動データ記憶手段の記憶内容を所定期間保持させることが可能な記憶内容保持手段と、
前記遊技媒体検出手段に供給される電圧よりも高い電源電圧を監視し、該電源電圧が所定値以下になったときに電圧低下信号を前記電気部品制御手段に出力する電源監視手段とを備え、
前記電気部品制御手段が所定のデータを出力するための出力ポートが設けられ、
前記電気部品制御手段は、
遊技機に設けられている電気部品を制御し、
前記電源監視手段からの前記電圧低下信号の入力に応じて、制御状態を前記変動データ記憶手段に保存させるための処理を含む電力供給停止時処理を実行し、
前記電力供給停止時処理において、前記出力ポートに出力された信号をクリアする出力ポートクリア処理と、前記変動データ記憶手段の記憶内容が正常か否かの判定に用いるチェックデータの作成処理とを実行し、該作成処理を実行する前に、前記出力ポートクリア処理を実行する
ことを特徴とする遊技機。
【手続補正２】
【補正対象書類名】明細書
【補正対象項目名】０００９
【補正方法】変更
【補正の内容】
【０００９】
本発明による遊技機は、遊技者が遊技媒体を用いて所定の遊技を行うことが可能な遊技機であって、遊技媒体を検出するための遊技媒体検出手段と、制御を行う際に発生する変動データを記憶する変動データ記憶手段を含む電気部品制御手段と、遊技機への電力供給が停止していても変動データ記憶手段の記憶内容を所定期間保持させることが可能な記憶内容保持手段と、遊技媒体検出手段に供給される電圧よりも高い電源電圧を監視し、該電源電圧が所定値以下になったときに電圧低下信号を電気部品制御手段に出力する電源監視手段とを備え、電気部品制御手段が所定のデータを出力するための出力ポートが設けられ、電気部品制御手段は、遊技機に設けられている電気部品を制御し、電源監視手段からの電圧低下信号の入力に応じて、制御状態を変動データ記憶手段に保存させるための処理を含む電力供給停止時処理を実行し、電力供給停止時処理において、出力ポートに出力された信号をクリアする出力ポートクリア処理と、変動データ記憶手段の記憶内容が正常か否かの判定に用いるチェックデータの作成処理とを実行し、該作成処理を実行する前に、出力ポートクリア処理を実行することを特徴とする。
【手続補正３】
【補正対象書類名】明細書
【補正対象項目名】００１０
【補正方法】変更
【補正の内容】
【００１０】
本発明によれば、遊技機を、電気部品制御手段が、電源監視手段からの電圧低下信号の入力に応じて、制御状態を変動データ記憶手段に保存させるための処理を含む電力供給停止時処理を実行し、電力供給停止時処理において、出力ポートに出力された信号をクリアする出力ポートクリア処理と、変動データ記憶手段の記憶内容が正常か否かの判定に用いるチェックデータの作成処理とを実行し、該作成処理を実行する前に、出力ポートクリア処理を実行するように構成したので、停電等の不測の電源断が発生したときに必要なデータを確実に保存することができ、保存されていたデータを電源復帰後に確実に活用することができる効果がある。
【手続補正書】
【提出日】平成21年3月17日(2009.3.17)
【手続補正１】
【補正対象書類名】特許請求の範囲
【補正対象項目名】全文
【補正方法】変更
【補正の内容】
【特許請求の範囲】
【請求項１】
複数種類の識別情報を可変表示可能な表示画面を有する飾り可変表示装置を備える遊技機であって、
前記飾り可変表示装置と連動して複数種類の識別情報を可変表示可能な特別可変表示装置と、
遊技制御および前記特別可変表示装置の表示制御を行なうとともに前記飾り可変表示装置を表示制御するためのコマンド信号を送信する遊技制御手段と、
該遊技制御手段から送信された前記コマンド信号を受信し、該表示制御コマンド信号に基づいて前記特別可変表示装置の可変開始に連動させて前記飾り可変表示装置を可変開始させた後表示結果を導出表示させる可変表示制御を行なう飾り可変表示制御手段と、
前記識別情報を複数の識別情報部分に分割して分離移動表示させる表示制御を繰返し行なう分割表示を、当該分割表示の開始を示すための所定演出後に実行する分割表示手段とを備え、
前記飾り可変表示制御手段は、
前記飾り可変表示装置の制御用プログラムを記憶しているプログラム記憶手段と、
該プログラム記憶手段にアクセスして制御用プログラムを随時読出し、その読出したプログラムに従って画像表示用指令信号を出力する演算処理装置と、
前記飾り可変表示装置により表示されるキャラクタデータを記憶しているキャラクタデータ記憶手段と、
該キャラクタデータ記憶手段にアクセスしてキャラクタデータを随時読出し、前記演算処理装置から出力された画像表示指令信号に従って前記読出したキャラクタデータに基づく画像を前記飾り可変表示装置に表示させる制御を行なう画像表示処理装置と、
該画像表示処理装置が生成した画像データを一時記憶する画像データ一時記憶手段とを含むことを特徴とする、遊技機。
【手続補正２】
【補正対象書類名】明細書
【補正対象項目名】０００１
【補正方法】変更
【補正の内容】
【０００１】
本発明は、パチンコ遊技機やスロットマシンあるいはコイン遊技機などの遊技機に関し、詳しくは、複数種類の識別情報を可変表示可能な表示画面を有する可変表示装置を有し、該可変表示装置の表示結果が予め定められた特定の表示結果となった場合に遊技状態が遊技者に有利な状態となる遊技機に関する。
【手続補正３】
【補正対象書類名】明細書
【補正対象項目名】０００２
【補正方法】変更
【補正の内容】
【０００２】
この種の遊技機として従来から一般的に知られているものに、たとえば、複数種類の識別情報を可変表示可能な表示画面を有する可変表示装置を有し、該可変表示装置の表示結果が予め定められた特定の表示結果となった場合に遊技状態が遊技者に有利な状態となる遊技機であって、前記可変表示装置を可変開始させた後表示結果を導出表示させる可変表示制御が可能な遊技機があった。
【手続補正４】
【補正対象書類名】明細書
【補正対象項目名】０００３
【補正方法】変更
【補正の内容】
【０００３】
そして前記可変表示装置上で前記識別情報が上下方向、あるいは左右方向などにスクロール表示されるなどして前記可変表示制御が行なわれていた。この可変表示の速度や可変表示方向が遊技状況に応じて変化するように構成されており、これにより遊技者は、可変表示態様の変化をある程度楽しむことができるとともに、可変表示結果が前記特定の表示結果となるのではないかという期待感を抱くことができるように構成されていた。
【手続補正５】
【補正対象書類名】明細書
【補正対象項目名】０００５
【補正方法】変更
【補正の内容】
【０００５】
本発明は、係る実情に鑑み考え出されたものであり、その目的は、可変表示装置の可変表示内容を変化に富んだ面白味のあるものにすることで、遊技の興趣性を向上させることが可能な遊技を提供することである。
【手続補正６】
【補正対象書類名】明細書
【補正対象項目名】０００６
【補正方法】変更
【補正の内容】
【０００６】
（１）  複数種類の識別情報を可変表示可能な表示画面を有する飾り可変表示装置を備える遊技機であって、
前記飾り可変表示装置と連動して複数種類の識別情報を可変表示可能な特別可変表示装置と、
遊技制御および前記特別可変表示装置の表示制御を行なうとともに前記飾り可変表示装置を表示制御するためのコマンド信号を送信する遊技制御手段と、
該遊技制御手段から送信された前記コマンド信号を受信し、該表示制御コマンド信号に基づいて前記特別可変表示装置の可変開始に連動させて前記飾り可変表示装置を可変開始させた後表示結果を導出表示させる可変表示制御を行なう飾り可変表示制御手段と、
前記識別情報を複数の識別情報部分に分割して分離移動表示させる表示制御を繰返し行なう分割表示を、当該分割表示の開始を示すための所定演出後に実行する分割表示手段とを備え、
前記飾り可変表示制御手段は、
前記飾り可変表示装置の制御用プログラムを記憶しているプログラム記憶手段と、
該プログラム記憶手段にアクセスして制御用プログラムを随時読出し、その読出したプログラムに従って画像表示用指令信号を出力する演算処理装置と、
前記飾り可変表示装置により表示されるキャラクタデータを記憶しているキャラクタデータ記憶手段と、
該キャラクタデータ記憶手段にアクセスしてキャラクタデータを随時読出し、前記演算処理装置から出力された画像表示指令信号に従って前記読出したキャラクタデータに基づく画像を前記飾り可変表示装置に表示させる制御を行なう画像表示処理装置と、
該画像表示処理装置が生成した画像データを一時記憶する画像データ一時記憶手段とを含むことを特徴とする。
【手続補正７】
【補正対象書類名】明細書
【補正対象項目名】０００７
【補正方法】変更
【補正の内容】
【０００７】
このような構成によれば、分割表示の開始を示すための所定演出後に分割表示による可変表示制御が可能であるために、飾り可変表示装置の可変表示態様に変化を加えることができ、これにより遊技の興趣性を向上させることができる。
【手続補正８】
【補正対象書類名】明細書
【補正対象項目名】０００８
【補正方法】削除
【補正の内容】
【手続補正９】
【補正対象書類名】明細書
【補正対象項目名】０００９
【補正方法】削除
【補正の内容】
【手続補正１０】
【補正対象書類名】明細書
【補正対象項目名】００１０
【補正方法】削除
【補正の内容】
【手続補正書】
【提出日】平成21年9月24日(2009.9.24)
【手続補正１】
【補正対象書類名】特許請求の範囲
【補正対象項目名】全文
【補正方法】変更
【補正の内容】
【特許請求の範囲】
【請求項１】
表示状態が変化可能な可変表示部を含み、可変表示開始の条件の成立に応じて前記可変表示部にて可変表示を開始し、可変表示時間が経過したときに表示結果を導出表示し、該導出表示された表示結果があらかじめ定められた特定表示態様となったときに遊技者に有利な遊技状態に制御可能な遊技機であって、
遊技の進行を制御するとともに電源断状態から復旧したときに遊技状態を電源断前の状態に復帰させることが可能な遊技制御手段と、
前記遊技制御手段から出力されるコマンドにもとづいて前記可変表示部の表示制御を行う表示制御手段と、
所定電位電源の電圧低下を検出するための電源監視手段とを備え、
前記電源監視手段の検出出力は、前記遊技制御手段に接続され、
前記遊技制御手段は、
遊技進行に応じて生ずる変動データを記憶し、遊技状態復帰のために必要な情報を電源断中でも保持可能な記憶手段を備え、
前記電源監視手段の検出出力にもとづいて、遊技状態復帰のための所定の電源断時処理を実行し、
前記電源断時処理には、信号を出力するための出力ポートの出力状態をオフ状態にする処理と、電源断フラグを前記記憶手段に設定する処理とが含まれ、
前記遊技制御手段は、
電力供給開始時に、前記電源断フラグが前記記憶手段に設定されているか否かを判定し、前記電源断フラグが前記記憶手段に設定されていると判定したことを条件に、遊技状態を電源断前の状態に復帰させるための遊技状態復帰処理を行い、
前記表示制御手段に対して可変表示を開始するときに可変表示時間を特定するためのコマンドを出力し、可変表示時間が経過したときに確定コマンドを出力し、
前記表示制御手段は、前記可変表示時間を特定するためのコマンドにもとづいて可変表示を開始し、前記確定コマンドにもとづいて前記可変表示を終了させ表示結果を導出表示し、
前記遊技制御手段は、電源断が発生し、当該電源断発生後に電源が復旧したときに前記表示制御手段に対して電源断が発生したことを報知するためのコマンドを出力し、
前記表示制御手段は、前記電源断が発生したことを報知するためのコマンドにもとづいて電源断が発生したことを報知するための表示を行う
ことを特徴とする遊技機。
【手続補正２】
【補正対象書類名】明細書
【補正対象項目名】００１０
【補正方法】変更
【補正の内容】
【００１０】
本発明による遊技機は、表示状態が変化可能な可変表示部を含み、可変表示開始の条件の成立に応じて可変表示部にて可変表示を開始し、可変表示時間が経過したときに表示結果を導出表示し、導出表示された表示結果があらかじめ定められた特定表示態様となったときに遊技者に有利な遊技状態に制御可能な遊技機であって、遊技の進行を制御するとともに電源断状態から復旧したときに遊技状態を電源断前の状態に復帰させることが可能な遊技制御手段と、遊技制御手段から出力されるコマンドにもとづいて可変表示部の表示制御を行う表示制御手段と、所定電位電源の電圧低下を検出するための電源監視手段とを備え、電源監視手段の検出出力は、遊技制御手段に接続され、遊技制御手段は、遊技進行に応じて生ずる変動データを記憶し、遊技状態復帰のために必要な情報を電源断中でも保持可能な記憶手段を備え、電源監視手段の検出出力にもとづいて、遊技状態復帰のための所定の電源断時処理を実行し、電源断時処理には、信号を出力するための出力ポートの出力状態をオフ状態にする処理と、電源断フラグを記憶手段に設定する処理とが含まれ、遊技制御手段は、電力供給開始時に、電源断フラグが記憶手段に設定されているか否かを判定し、電源断フラグが記憶手段に設定されていると判定したことを条件に、遊技状態を電源断前の状態に復帰させるための遊技状態復帰処理を行い、表示制御手段に対して可変表示を開始するときに可変表示時間を特定するためのコマンドを出力し、可変表示時間が経過したときに確定コマンドを出力し、表示制御手段は、可変表示時間を特定するためのコマンドにもとづいて可変表示を開始し、確定コマンドにもとづいて可変表示を終了させ表示結果を導出表示し、遊技制御手段は、電源断が発生し、当該電源断発生後に電源が復旧したときに表示制御手段に対して電源断が発生したことを報知するためのコマンドを出力し、表示制御手段は、電源断が発生したことを報知するためのコマンドにもとづいて電源断が発生したことを報知するための表示を行うことを特徴とする。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】削除
【補正の内容】
【手続補正５】
【補正対象書類名】明細書
【補正対象項目名】００１３
【補正方法】削除
【補正の内容】
【手続補正６】
【補正対象書類名】明細書
【補正対象項目名】００１４
【補正方法】削除
【補正の内容】
【手続補正７】
【補正対象書類名】明細書
【補正対象項目名】００１５
【補正方法】削除
【補正の内容】
【手続補正８】
【補正対象書類名】明細書
【補正対象項目名】００１６
【補正方法】削除
【補正の内容】
【手続補正９】
【補正対象書類名】明細書
【補正対象項目名】００１７
【補正方法】削除
【補正の内容】
【手続補正１０】
【補正対象書類名】明細書
【補正対象項目名】００１８
【補正方法】削除
【補正の内容】
【手続補正１１】
【補正対象書類名】明細書
【補正対象項目名】００１９
【補正方法】削除
【補正の内容】
【手続補正１２】
【補正対象書類名】明細書
【補正対象項目名】００２０
【補正方法】変更
【補正の内容】
【００２０】
本発明によれば、遊技機を、遊技制御手段が、所定電位電源の電圧低下を検出するための電源監視手段の検出出力にもとづいて、遊技状態復帰のための所定の電源断時処理を実行するように構成したので、電源電圧が低下していくことに伴って生ずる可能性がある記憶手段の内容破壊等を確実に防止でき、電源断時に確実にデータを保存することができるという効果がある。
【手続補正１３】
【補正対象書類名】明細書
【補正対象項目名】００２１
【補正方法】削除
【補正の内容】
【手続補正１４】
【補正対象書類名】明細書
【補正対象項目名】００２２
【補正方法】削除
【補正の内容】
【手続補正１５】
【補正対象書類名】明細書
【補正対象項目名】００２３
【補正方法】削除
【補正の内容】
【手続補正１６】
【補正対象書類名】明細書
【補正対象項目名】００２４
【補正方法】削除
【補正の内容】
【手続補正１７】
【補正対象書類名】明細書
【補正対象項目名】００２５
【補正方法】削除
【補正の内容】
【手続補正１８】
【補正対象書類名】明細書
【補正対象項目名】００２６
【補正方法】削除
【補正の内容】
【手続補正１９】
【補正対象書類名】明細書
【補正対象項目名】００２７
【補正方法】削除
【補正の内容】
【手続補正２０】
【補正対象書類名】明細書
【補正対象項目名】００２８
【補正方法】削除
【補正の内容】
【手続補正２１】
【補正対象書類名】明細書
【補正対象項目名】００２９
【補正方法】削除
【補正の内容】
【手続補正書】
【提出日】平成21年9月18日(2009.9.18)
【手続補正１】
【補正対象書類名】特許請求の範囲
【補正対象項目名】全文
【補正方法】変更
【補正の内容】
【特許請求の範囲】
【請求項１】
被写体を撮影して得た三次元医用画像を構成する第１のボクセルデータを用いて心臓の各位置における機能を表した機能画像を生成する機能画像生成手段と、
前記被写体を撮影して得た三次元医用画像を構成する前記第１のボクセルデータと同一または異なる第２のボクセルデータのうち心臓の心筋外壁に沿う血管を含む領域のボクセルデータを用いて、前記血管の太さを含む該血管の形態および該血管以外の前記心筋外壁に沿う組織の形態を描画した形態画像を生成する形態画像生成手段と、
前記機能画像の心臓の各位置と前記形態画像の心臓の各位置とを対応させて、前記機能画像と前記形態画像とを重ねて表示する重ね表示手段とを備えたことを特徴とする心機能表示装置。
【請求項２】
前記機能画像が、前記心臓の心基部から心尖部に向けて伸びる長軸を横切る方向に切った複数のスライス面における心臓の機能を表す画像を同心円状に配置した画像であることを特徴とする請求項１記載の心機能表示装置。
【請求項３】
前記機能画像が、前記心臓の心基部に近いスライス面の機能を表す画像を前記同心円状に配置した画像の中心に近い位置に配置し、前記スライス面の位置が前記心臓の心尖部に近づくほど該スライス面の機能を表す画像を前記中心より遠い位置に配置した画像であることを特徴とする請求項２記載の心機能表示装置。
【請求項４】
前記形態画像が、前記心臓の心筋外壁に沿う血管を含む該心筋外壁から所定の距離内に存在するボクセルデータに対してＭＩＰ処理を施して、該距離内に存在する血管を投影した画像であることを特徴とする請求項１から３いずれか記載の心機能表示装置。
【請求項５】
前記形態画像上に描画された血管の前記心臓上の範囲が、前記機能画像に表された機能の前記心臓上の範囲より広い範囲を表すものであることを特徴とする請求項１から４いずれか記載の心機能表示装置。
【請求項６】
被写体を撮影して得た三次元医用画像を構成する第１のボクセルデータを用いて心臓の各位置における機能を表した機能画像を生成する機能画像生成ステップと、
前記被写体を撮影して得た三次元医用画像を構成する前記第１のボクセルデータと同一または異なる第２のボクセルデータのうち心臓の心筋外壁に沿う血管を含む領域のボクセルデータを用いて、前記血管の太さを含む該血管の形態および該血管以外の前記心筋外壁に沿う組織の形態を描画した形態画像を生成する形態画像生成ステップと、
前記機能画像の心臓の各位置と前記形態画像の心臓の各位置とを対応させて、前記機能画像と前記形態画像とを重ねて表示する重ね表示ステップとを備えたことを特徴とする心機能表示方法。
【請求項７】
コンピュータを、
被写体を撮影して得た三次元医用画像を構成する第１のボクセルデータを用いて心臓の各位置における機能を表した機能画像を生成する機能画像生成手段と、
前記被写体を撮影して得た三次元医用画像を構成する前記第１のボクセルデータと同一または異なる第２のボクセルデータのうち心臓の心筋外壁に沿う血管を含む領域のボクセルデータを用いて、前記血管の太さを含む該血管の形態および該血管以外の前記心筋外壁に沿う組織の形態を描画した形態画像を生成する形態画像生成手段と、
前記機能画像の心臓の各位置と前記形態画像の心臓の各位置とを対応させて、前記機能画像と前記形態画像とを重ねて表示する重ね表示手段として機能させるプログラム。
【手続補正２】
【補正対象書類名】明細書
【補正対象項目名】発明の名称
【補正方法】変更
【補正の内容】
【発明の名称】心機能表示装置、心機能表示方法およびそのプログラム
【手続補正書】
【提出日】平成20年12月2日(2008.12.2)
【手続補正１】
【補正対象書類名】特許請求の範囲
【補正対象項目名】請求項２
【補正方法】変更
【補正の内容】
【請求項２】
内視鏡を挿通させる挿通チャンネルを有する可撓管部と、
前記可撓管部の外周面の、前記可撓管部の軸方向に異なる位置に取り付けられ、それぞれ独立して膨張・収縮可能に構成された複数のバルーンと、
を備え、
前記複数のバルーンは、膨張時の内腔体積が同一であり、前記可撓管部の軸線方向における寸法が異なる少なくとも２つ以上のバルーンを含むことを特徴とするオーバーチューブ。
【手続補正書】
【提出日】平成21年2月12日(2009.2.12)
【手続補正１】
【補正対象書類名】特許請求の範囲
【補正対象項目名】請求項１
【補正方法】変更
【補正の内容】
【請求項１】
生物を灰化して抽出した多種類の水溶性ミネラルよりなり、加工用魚卵に添加することにより卵細胞を強化し凍結又は解凍時のタンパク質の劣化を抑制する加工魚卵用冷凍劣化防止剤。
【手続補正２】
【補正対象書類名】明細書
【補正対象項目名】０００６
【補正方法】変更
【補正の内容】
【０００６】
上記課題を解決するための本発明の加工魚卵用冷凍劣化防止剤は、第１に、生物を灰化して抽出した多種類の水溶性ミネラルよりなり、加工用魚卵に添加することにより卵細胞を強化し凍結又は解凍時のタンパク質の劣化を抑制することを特徴としている。
【手続補正書】
【提出日】平成21年8月26日(2009.8.26)
【手続補正１】
【補正対象書類名】特許請求の範囲
【補正対象項目名】全文
【補正方法】変更
【補正の内容】
【特許請求の範囲】
【請求項１】
枕本体（２）と、
この枕本体（２）の上面（４、５）を覆う枕カバー（９、１１）とを有し、
前記枕カバー（９、１１）は、蕎麦の種子（２１）を充填した布製の筒（８）を平行に並べて連結したものであり、
各筒（８）の直径は１ｃｍ〜２ｃｍであることを特徴とする安眠枕（１）。
【請求項２】
請求項１に記載の安眠枕（１）において、
前記枕本体（２）の底面には通気用の切り欠き溝（２ｄ）が形成されており、
前記枕本体（２）には垂直に延びる通気孔（２ｅ）が形成されており、
当該通気孔（２ｅ）の下端が前記切り欠き溝（２ｄ）に連通しており、当該通気孔（２ｅ）の上端が前記枕本体（２）の上面に露出していることを特徴とする安眠枕（１）。
【請求項３】
請求項２に記載の安眠枕（１）において、
前記枕本体（２）の前記上面に形成した一定高さの第１枕面（４）と、
前記枕本体（２）の上面に形成した可変高さの第２枕面（５）と、
この第２枕面（５）の高さを変更するために前記枕本体に内蔵されている手動式高さ調整機構（６）と、
前記枕本体（２）の側面に取り付けられている高さ調整用の手動操作部材（７）とを有し、
前記第２枕面（５）の高さ調整範囲は、前記第１枕面（４）の高さよりも低い高さ位置から当該第１枕面（４）の高さよりも高い高さ位置までとされていることを特徴とする安眠枕（１）。
【請求項４】
請求項３に記載の安眠枕（１）において、
前記第２枕面（５）の高さを、前記第１枕面（４）の高さよりも低い高さ位置、当該第１枕面（４）と同一の高さ位置、および当該第１枕面（４）よりも高い高さ位置の３段階に切換可能であることを特徴とする安眠枕（１）。
【請求項５】
請求項４に記載の安眠枕（１）において、
前記枕本体（２）の上面における横方向の半分の領域が前記第１枕面（４）であり、
前記上面の残りの半分の領域が前記第２枕面（５）であることを特徴とする安眠枕（１）。
【手続補正書】
【提出日】平成21年10月1日(2009.10.1)
【手続補正１】
【補正対象書類名】特許請求の範囲
【補正対象項目名】全文
【補正方法】変更
【補正の内容】
【特許請求の範囲】
【請求項１】
サーバと、通信ネットワークを介して前記サーバと通信可能な端末と、前記端末と通信可能な調理器とを備える調理器システムにおいて、
前記サーバは、
前記調理器により実行可能な調理メニューの制御フロー又は前記調理器に対する設定変更指令にそれぞれ割り当てられた複数のタスクコードと、個々の前記タスクコードについての前記制御フロー又は前記設定変更指令に関する情報であるタスクコード情報とを記憶したサーバ記憶部と、
前記通信ネットワークを介して前記複数のタスクコード及び前記タスクコード情報を送信するサーバ通信部と
を備え、
前記端末は、
前記通信ネットワークを介して、前記サーバ通信部から送信された前記複数のタスクコード及び前記タスクコード情報を受信する第１の端末通信部と、
前記第１の端末通信部が受信した前記複数のタスクコード及び前記タスクコード情報を記憶する端末記憶部と、
前記タスクコード情報を表示する表示部と、
前記端末記憶部に記憶された前記複数のタスクコードのうちのいずれかを、前記表示部に表示された前記タスクコード情報に基づいてユーザに選択させる選択部と、
前記選択部で選択された前記タスクコードを前記調理器へ送信する第２の端末通信部と
を備え、
前記調理器は、
前記第２の端末通信部から送信された前記タスクコードを受信する調理器通信部と、
前記複数のタスクコードと、個々の前記タスクコードが割り当てられた前記制御フロー及び前記設定変更指令とを予め記憶した調理器記憶部と、
前記調理器記憶部を参照し、前記調理器通信部で受信した前記タスクコードが前記制御フローに割り当られていればその制御フローを実行可能とし、前記調理器通信部で受信した前記タスクコードが前記設定変更指令に割り当られていればその設定変更指令を実行する、調理器制御部と
を備えることを特徴とする、調理器システム。
【請求項２】
前記調理器制御部は、前記調理器通信部が前記端末から前記制御フローに割り当てられた前記タスクコードを受信し、かつ他の前記制御フローに割り当てられた前記タスクコードを既に受信していれば、前記実行可能な制御フローを今回受信した前記タスクコードを割り当てた前記制御フローに切り換えることを特徴とする、請求項１に記載の調理器システム。
【請求項３】
前記調理器は音声出力部をさらに備え、
前記調理器記憶部は、個々の前記タスクコードに対応し、前記制御フローに割り当てられた前記タスクコードについてはその制御フローに対応する前記調理メニューに関する説明の音声出力のために必要な情報を含み、前記設定変更指令に割り当てられた前記タスクコードについてはその設定変更指令に関する説明の音声出力のために必要な情報を含むものである音声再生情報を予め記憶し、
前記調理器制御部は、前記調理器記憶部を参照し、前記調理器通信部で受信した前記タスクコードが前記制御フローに割り当られていれば、前記音声再生情報に基づいて前記音声出力部に前記調理メニューに関する説明の音声を出力させ、前記調理器通信部で受信した前記タスクコードが前記設定変更指令に割り当てられていれば、前記音声再生情報に基づいて前記音声出力部に前記設定変更指令に関する説明の音声を出力させる、請求項１又は請求項２に記載の調理器システム。
【請求項４】
前記調理器記憶部は、それぞれ音声コードが割り当てられた複数の音声データを予め記憶し、
前記音声再生情報は、使用する音声データの音声コード及び音声データを使用する順序を含み、
前記調理器制御部は、前記音声再生情報に含まれる音声コードの音声データを前記音声再生情報に含まれる順序で前記音声出力部に出力させる、請求項３に記載の調理器システム。
【請求項５】
前記タスクコード情報は、前記音声再生情報に基づいて再生される音声と同内容のテキストデータを含み、
前記端末表示部は前記テキストデータを表示することを特徴とする、請求項３又は請求項４に記載の調理器システム。
【請求項６】
前記サーバ記憶部は前記端末で実行されるアプリケーションプログラムを記憶し、
前記アプリケーションプログラムは、前記サーバ通信部から前記第１の端末通信部に送信されて前記端末記憶部に記憶され、
前記複数のタスクコード及び前記タスクコード情報は前記アプリケーションプログラム中に含まれていることを特徴とする、請求項１から請求項５のいずれか１項に記載の調理器システム。
【請求項７】
前記調理器は炊飯器であることを特徴とする、請求項１から請求項６のいずれか１項に記載の調理器システム。
【請求項８】
前記端末は携帯電話であることを特徴とする、請求項１から請求項７のいずれか１項に記載の調理器システム。
【請求項９】
複数のタスクコードと、個々の前記タスクコードが割り当てられた調理メニューの制御フロー及び設定変更指令を予め記憶した記憶部と、
前記タスクコードを受信する通信部と、
前記記憶部を参照し、前記通信部で受信した前記タスクコードが前記制御フローに割り当てられていればその制御フローを実行可能とし、前記通信部で受信した前記タスクコードが前記設定変更指令に割り当てられていればその設定変更指令を実行する制御部と
を備えることを特徴とする、調理器。
【手続補正２】
【補正対象書類名】明細書
【補正対象項目名】００１４
【補正方法】変更
【補正の内容】
【００１４】
この構成によれば、音声再生情報を予め調理器記憶部に記憶させておくことによりサーバと端末の間や端末と炊飯器の間で音声データを送信する必要がなくなるので、通信時間をさらに短縮できる。
好ましくは、前記調理器記憶部は、それぞれ音声コードが割り当てられた複数の音声データを予め記憶し、前記音声再生情報は、使用する音声データの音声コード及び音声データを使用する順序を含み、前記調理器制御部は、前記音声再生情報に含まれる音声コードの音声データを前記音声再生情報に含まれる順序で前記音声出力部に出力させる。
この構成によれば、使用頻度の高い単語やフレーズを一つの音声データとして記憶しておくことで、調理記憶部に記憶させる音声データの総量を低減できる。
【手続補正書】
【提出日】平成21年10月20日(2009.10.20)
【手続補正１】
【補正対象書類名】特許請求の範囲
【補正対象項目名】全文
【補正方法】変更
【補正の内容】
【特許請求の範囲】
【請求項１】
液体を貯留する内容器を内部に配設したポット本体と、前記内容器内の液体を加熱する加熱手段と、前記ポット本体に開閉可能に取り付けられ前記内容器の上端開口を閉塞する蓋体とを備え、前記ポット本体または蓋体の正面に注口を設けるとともに、前記蓋体に内容器内で発生する蒸気を排気する排気通路を設け、前記ポット本体を注口の方向へ下向きに傾けることにより、前記内容器内の液体を注出可能とした電気ポットにおいて、
前記蓋体の排気通路中に、前記ポット本体の傾斜により移動して前記内容器の内部と機外とを連通させる連通部を閉塞する可動閉塞部材を配設し、
前記連通部に連通するように、または、前記連通部の近傍に、前記注口を下向きに傾斜させた注出状態では前記可動閉塞部材によって閉塞されず、他の傾斜状態では前記可動閉塞部材によって閉塞される空気抜部を設けたことを特徴とする電気ポット。
【請求項２】
前記連通部および空気抜部を、前記排気通路中に配設する接続部材に設けたことを特徴とする請求項１に記載の電気ポット。
【請求項３】
前記接続部材は、前記注口とは反対の背面側に位置するように配設されていることを特徴とする請求項２に記載の電気ポット。
【請求項４】
前記注口は、前記蓋体の正面側から前方に向けて突出するものであることを特徴とする請求項１乃至請求項３のいずれか１項に記載の電気ポット。
【請求項５】
前記空気抜部は、前記連通部から背面側に向けて延びるスリットからなることを特徴とする請求項１乃至請求項４のいずれか１項に記載の電気ポット。
【請求項６】
前記空気抜部は、前記連通部の下端縁から下向きに突出するリブを設け、該リブに設けた切欠部からなることを特徴とする請求項１乃至請求項４のいずれか１項に記載の電気ポット。
【請求項７】
前記空気抜部は、前記連通部から離間した独立の孔からなることを特徴とする請求項１乃至請求項４のいずれか１項に記載の電気ポット。
【手続補正２】
【補正対象書類名】明細書
【補正対象項目名】００１２
【補正方法】変更
【補正の内容】
【００１２】
前記課題を解決するため、本発明の電気ポットは、液体を貯留する内容器を内部に配設したポット本体と、前記内容器内の液体を加熱する加熱手段と、前記ポット本体に開閉可能に取り付けられ前記内容器の上端開口を閉塞する蓋体とを備え、前記ポット本体または蓋体の正面に注口を設けるとともに、前記蓋体に内容器内で発生する蒸気を排気する排気通路を設け、前記ポット本体を注口の方向へ下向きに傾けることにより、前記内容器内の液体を注出可能とした電気ポットにおいて、前記蓋体の排気通路中に、前記ポット本体の傾斜により移動して前記内容器の内部と機外とを連通させる連通部を閉塞する可動閉塞部材を配設し、前記連通部に連通するように、または、前記連通部の近傍に、前記注口を下向きに傾斜させた注出状態では前記可動閉塞部材によって閉塞されず、他の傾斜状態では前記可動閉塞部材によって閉塞される空気抜部を設けた構成としている。
【手続補正３】
【補正対象書類名】明細書
【補正対象項目名】００１３
【補正方法】変更
【補正の内容】
【００１３】
このようにすれば、電気ポットの傾斜により連通部を可動閉塞部材で閉塞するため、電気ポットが転倒しても排気通路から内容器内の液体が流出することを防止できる。また、連通部には、注口を下向きに傾斜させた注出状態では可動閉塞部材によって閉塞されないように空気抜部を設けているため、注出状態では空気の流入が可能である。そのため、通常の使用時に注出動作の阻害を確実に防止できる。
【手続補正４】
【補正対象書類名】明細書
【補正対象項目名】００１４
【補正方法】変更
【補正の内容】
【００１４】
この電気ポットでは、前記連通部および空気抜部を、前記排気通路中に配設する接続部材に設けることが好ましい。
この場合、前記接続部材は、前記注口とは反対の背面側に位置するように配設されていることが好ましい。このようにすれば、通常の注出時に内容器内の液体が排気通路内に流入し、注出動作を阻害することを防止できる。
【手続補正５】
【補正対象書類名】明細書
【補正対象項目名】００１５
【補正方法】変更
【補正の内容】
【００１５】
また、前記注口は、前記蓋体の正面側から前方に向けて突出するものであることが好ましい。このようにすれば、注口が下向きに位置した状態で転倒することを確実に防止できる。
【手続補正６】
【補正対象書類名】明細書
【補正対象項目名】００１６
【補正方法】変更
【補正の内容】
【００１６】
さらに、前記空気抜部は、前記連通部から背面側に向けて延びるスリットからなることが好ましい。
または、前記空気抜部は、前記連通部の下端縁から下向きに突出するリブを設け、該リブに設けた切欠部からなる構成としてもよい。
または、前記空気抜部は、前記連通部から離間した独立の孔からなる構成としてもよい。
このようにすれば、通常の使用時に可動閉塞部材で空気抜部を閉塞することを確実に防止できる。
【手続補正７】
【補正対象書類名】明細書
【補正対象項目名】００１７
【補正方法】変更
【補正の内容】
【００１７】
本発明の電気ポットでは、転倒すると連通部を可動閉塞部材で閉塞するため、排気通路から内容器内の液体が流出することを防止できる。また、連通部には、注口を下向きに傾斜させた注出状態では可動閉塞部材によって閉塞されないように空気抜部を設けているため、通常の使用時に注出動作を阻害することを確実に防止できる。
【手続補正８】
【補正対象書類名】明細書
【補正対象項目名】００６２
【補正方法】変更
【補正の内容】
【００６２】
このように、本発明の電気ポットでは、排気通路９０中に連通部７９を有する接続部材７８と、傾斜により連通部７９を閉塞する可動閉塞部材７７を配設しているため、電気ポットが転倒しても排気通路９０から内容器３４内の液体が流出することを防止できる。また、連通部７９には、注口４９を下向きに傾斜させた注出状態では可動閉塞部材７７によって閉塞されないように第２空気抜部８１を設けているため、注出状態では内容器３４内に外部の空気の流入が可能である。そのため、通常の使用時に注出動作の阻害を確実に防止できる。
【手続補正９】
【補正対象書類名】明細書
【補正対象項目名】００６８
【補正方法】変更
【補正の内容】
【００６８】
１０…ベース
１１…ポット
１２…ポット本体
２１…ハンドル
３３…蒸気通路
３４…内容器
３６…アルミブレージングヒータ（加熱手段）
３９…蓋体
４０…蓋本体
４６…給水通路入口
４９…注口
５０…給水通路
５１…弁部材
６３Ａ，６３Ｂ…可動閉塞部材配設部
６５…排気通路入口
７７…可動閉塞部材
７８…接続部材
７９…連通部
８０…第１空気抜部
８１…第２空気抜部
８６…排気口部材
９０…排気通路
９２…邪魔板
９５…リブ
【手続補正書】
【提出日】平成21年5月11日(2009.5.11)
【手続補正１】
【補正対象書類名】明細書
【補正対象項目名】０００４
【補正方法】変更
【補正の内容】
【０００４】
現状の技術は、その能力において、変化を減少する事に限定されており、又、ワークへの作動力を調節する為にフィードバック制御を行い、それによって、材料率と、最終的に
除去される材料のトータル量を減少させている。
従って、表面の三次元的形状と、外形の双方を最適化させる一方、製造コストを最小にする為の改良された方法が要求されている。
【特許文献１】米国特許公開公報第２００４／０１６６７６９号
【特許文献２】中国特許公開公報第１０１０６９９５８号
【特許文献３】韓国特許公開公報第２００１００５４６０３号
【手続補正書】
【提出日】平成20年11月21日(2008.11.21)
【手続補正１】
【補正対象書類名】特許請求の範囲
【補正対象項目名】全文
【補正方法】変更
【補正の内容】
【特許請求の範囲】
【請求項１】
Ａ）発呼者が呼を発信し、ソフトスイッチデバイスが発呼側のイニシャルアドレスメッセージ（ＩＡＭ）を取得するステップと、
Ｂ）ソフトスイッチデバイスが発呼者および被呼者の情報を分析し、前記メディアゲートウェイでコンテキストを生成し、発呼者および被呼者が同じメディアゲートウェイによって制御される場合に、発呼者および被呼者についての半永久物理的ターミネーションをコンテキストに追加するステップと、
Ｃ）ソフトスイッチデバイスがイニシャルアドレスメッセージ（ＩＡＭ）を回線交換ネットワークに被呼側のシグナリングゲートウェイを介して伝送し、回線交換ネットワークが応答メッセージ（ＡＣＭ）を戻し、被呼者の電話機が鳴動するステップと、
Ｄ）ソフトスイッチデバイスがアドレス完了メッセージ（ＡＣＭ）を伝送し、メディアゲートウェイが呼出音を伝送するステップとを含む、ソフトスイッチ呼制御方法。
【請求項２】
前記メディアゲートウェイがトランクゲートウェイ、アクセスゲートウェイ、またはインテグレーテッドアクセスデバイスである請求項１に記載のソフトスイッチ呼制御方法。
【請求項３】
前記半永久物理的ターミネーションが時分割多重化ベースのＴＤＭターミネーションである請求項１に記載のソフトスイッチ呼制御方法。
【請求項４】
前記ステップＢ）が、
Ｂｌ）ソフトスイッチデバイスが発呼側でメディアゲートウェイを制御して新しいコンテキストを生成し、コンテキストに半永久物理的ターミネーションおよび短命のターミネーションを追加するステップと、
Ｂ２）ソフトスイッチデバイスが発呼者および被呼者の情報を分析し、発呼者および被呼者が同じメディアゲートウェイによって制御される場合に、発呼側で生成されたコンテキストから短命のターミネーションを削除することをメディアゲートウェイに通知するステップと、
Ｂ３）ソフトスイッチデバイスが、発呼側で生成されたコンテキストに被呼側の半永久物理的ターミネーションを追加することをメディアゲートウェイに通知するステップとをさらに含む請求項１に記載のソフトスイッチ呼制御方法。
【請求項５】
前記短命のターミネーションがリアルタイム伝送プロトコルベースのＲＴＰターミネーションである請求項４に記載のソフトスイッチ呼制御方法。
【請求項６】
前記方法が、
Ｅ）被呼者がオフフックし、被呼側のシグナリングゲートウェイが応答メッセージ（ＡＮＭ）をソフトスイッチデバイスに伝送するステップと、
Ｆ）ソフトスイッチデバイスが変更コマンドをメディアゲートウェイに伝送し、呼出音を遮断するステップと、
Ｇ）ソフトスイッチデバイスが応答メッセージ（ＡＮＭ）を発呼側のシグナリングゲートウェイに伝送するステップとをさらに含む請求項１から５のいずれかに記載のソフトスイッチ呼制御方法。
【請求項７】
パケット交換ネットワークを介して幾つかのメディアゲートウェイに接続され、メディアゲートウェイを制御して受信された呼シグナリングに基づいてサービス呼を確立するソフトスイッチデバイスであって、取得されたイニシャルアドレスメッセージ（ＩＡＭ）に基づいて発呼者および被呼者の情報を分析し、メディアゲートウェイに、前記メディアゲートウェイでコンテキストを生成し、発呼者および被呼者が同じメディアゲートウェイによって制御される場合に、発呼者および被呼者についての半永久物理的ターミネーションをコンテキストに追加することを通知することを特徴とするソフトスイッチデバイス。
【請求項８】
前記半永久物理的ターミネーションが時分割多重化ベースのＴＤＭターミネーションである請求項７に記載のソフトスイッチ呼制御のためのソフトスイッチデバイス。
【請求項９】
呼制御および処理を行い、発呼者および被呼者の情報およびサービス論理を分析し、接続制御情報を接続制御ユニットに通知する呼処理ユニットであって、メディアゲートウェイにコンテキストを生成して発呼者および被呼者が同じメディアゲートウェイによって制御される場合に発呼者および被呼者についての半永久物理的ターミネーションをコンテキストに追加する、呼処理ユニットと、
発呼者および被呼者のリソース状態情報を管理するリソース管理ユニットと、
呼処理ユニットからの接続制御情報に基づいてメディアゲートウェイでのメディアストリームの接続、確立および解放を制御し、メディアゲートウェイから応答メッセージを受信する接続制御ユニットとを備える請求項７または８に記載のソフトスイッチ呼制御のためのソフトスイッチデバイス。
【手続補正書】
【提出日】平成20年11月13日(2008.11.13)
【手続補正１】
【補正対象書類名】特許請求の範囲
【補正対象項目名】全文
【補正方法】変更
【補正の内容】
【特許請求の範囲】
【請求項１】
第１の電極と第２の電極とでなる一対の電極と、前記一対の電極間にある発光層と、前記発光層と前記一対の電極の少なくとも一方との間に配置された複合層とを有し、前記複合層は一般式［化１］乃至［化５］のいずれかの共役分子と、前記共役分子に対し電子受容性を持つ物質との複合体からなる層であることを特徴とする発光素子。
【化０１】
2006186337.tif 000001
（式中、ＸとＺは同一または異なっており、且つ、ＸとＺはそれぞれ硫黄原子、酸素原子、水素、アルキル基もしくはアリール基が結合した窒素原子、又は水素、アルキル基もしくはアリール基が結合した珪素原子であり、Ｙはアリーレン基であり、Ｒ１からＲ６はそれぞれ、水素、アリール基、アルキル基、シアノ基、ジアルキルアミノ基、チオアルコキシ基、又はアルコキシ基のいずれかである。）
【化０２】
2006186337.tif 000002
（式中、Ｙはアリーレン基であり、Ｒ１からＲ６はそれぞれ、水素、アリール基、アルキル基、シアノ基、ジアルキルアミノ基、チオアルコキシ基、又はアルコキシ基のいずれかである。）
【化０３】
2006186337.tif 000003
（式中、Ｙはアリーレン基であり、Ｒ１からＲ６はそれぞれ、水素、アリール基、アルキル基、シアノ基、ジアルキルアミノ基、チオアルコキシ基、又はアルコキシ基のいずれかである。）
【化０４】
2006186337.tif 000004
（式中、Ｙはアリーレン基であり、Ｒ１からＲ６はそれぞれ、水素、アリール基、アルキル基、シアノ基、ジアルキルアミノ基、チオアルコキシ基、又はアルコキシ基のいずれかであり、Ｒ７とＲ８はそれぞれ、水素、アルキル基又はアリール基のいずれかである。）
【化０５】
2006186337.tif 000005
（式中、Ｙはアリーレン基であり、Ｒ１からＲ６はそれぞれ、水素、アリール基、アルキル基、シアノ基、ジアルキルアミノ基、チオアルコキシ基、又はアルコキシ基のいずれかであり、Ｒ７からＲ１０はそれぞれ水素、アルキル基又はアリール基のいずれかである。）
【請求項２】
請求項１において、前記第１の電極の電位が前記第２の電極の電位よりも高くなるように電圧が印加されたとき、前記発光素子は前記発光層から発光し、前記第１の電極と前記発光層との間に前記複合層は配置されることを特徴とする発光素子。
【請求項３】
請求項１において、前記第１の電極の電位が前記第２の電極の電位よりも高くなるように電圧が印加されたとき、前記発光素子は前記発光層から発光し、前記第２の電極と前記発光層との間に前記複合層は配置され、前記複合層と前記発光層側で接する電子発生層を有することを特徴とする発光素子。
【請求項４】
請求項１において、前記第１の電極の電位が前記第２の電極の電位よりも高くなるように電圧が印加されたとき、前記発光素子は前記発光層から発光し、
前記第１の電極と前記発光層との間、及び前記第２の電極と前記発光層との間のそれぞれに、前記複合層は配置され、
前記第２の電極と前記発光層との間に配置された前記複合層と前記発光層側で接する電子発生層を有することを特徴とする発光素子。
【請求項５】
請求項１乃至請求項４のいずれか一項において、前記共役分子に対し電子受容性を持つ前記物質は、金属酸化物、金属窒化物、有機化合物またはルイス酸であることを特徴とする発光素子。
【請求項６】
請求項５において、前記金属酸化物は、酸化バナジウム、酸化モリブデン、酸化レニウム、酸化タングステン、酸化ルテニウム、酸化チタン、酸化クロム、酸化ジルコニウム、酸化ハフニウム、酸化タンタル、または酸化ニオブであることを特徴とする発光素子。
【請求項７】
請求項１乃至請求項６のいずれか一項において、前記共役分子の式中Ｙは、炭素数６から２０の二価の芳香族炭化水素基、又は酸素、窒素、硫黄もしくは珪素を含む炭素数４から３０の二価の複素芳香環基であることを特徴とする発光素子。
【請求項８】
請求項１乃至請求項７のいずれか一項において、前記共役分子の式中Ｒ１とＲ２とで環構造を形成し、且つＲ３とＲ４とで環構造を形成することを特徴とする発光素子。
【請求項９】
請求項１乃至請求項８のいずれか一項に記載の発光素子を画素として用いることを特徴とする電子機器。
【請求項１０】
請求項１乃至請求項９のいずれか一項に記載の発光素子を光源として用いることを特徴とする電子機器。